(57)【特許請求の範囲】
【請求項１】
標本に対向して配置される対物レンズと、
該対物レンズの入射瞳位置に、略平行光からなる照明光を入射させ、かつ、該照明光を前記対物レンズによって前記標本上に集光して走査させる走査照明光学系と、
前記対物レンズの入射瞳位置の軸外において前記照明光を集光させ、前記標本にエバネッセント光を入射させる全反射照明光学系と、
該全反射照明光学系または前記走査照明光学系を介した前記照明光の前記対物レンズへの入射を切り替える入射切替手段と、
前記走査照明光学系により走査され標本を透過した照明光を検出する透過用検出光学系と、
前記標本を挟んで前記対物レンズとは反対側に配置された開閉可能なカバー部材と、
該カバー部材の開閉を検出する開閉センサと、
該開閉センサにより前記カバー部材の開状態が検出されたときに、前記全反射照明光学系を介した照明光の前記対物レンズへの入射を遮断するシャッタとを備える顕微鏡装置。
【請求項２】
標本に対向して配置される対物レンズと、
該対物レンズの入射瞳位置に、略平行光からなる照明光を入射させ、かつ、該照明光を前記対物レンズによって前記標本上に集光して走査させる走査照明光学系と、
前記対物レンズの入射瞳位置の軸外において前記照明光を集光させ、前記標本にエバネッセント光を入射させる全反射照明光学系と、
該全反射照明光学系または前記走査照明光学系を介した前記照明光の前記対物レンズへの入射を切り替える入射切替手段と、
前記走査照明光学系により走査され標本を透過した照明光を検出する透過用検出光学系と、
前記標本を挟んで前記対物レンズとは反対側に配置された開閉可能なカバー部材と、
該カバー部材の開閉を検出する開閉センサとを備え、
該開閉センサにより前記カバー部材の開状態が検出されたときに、前記入射切替手段による対物レンズへの照明光の入射を前記走査照明光学系を介した入射に切り替える顕微鏡装置。
【請求項３】
前記入射切替手段の状態を検出する入射状態センサを備え、
前記シャッタが、前記入射状態センサにより全反射照明光学系への照明光の入射に切り替えられていることが検出されているときに、前記開閉センサにより前記カバー部材の開状態が検出された場合に、前記全反射照明光学系を介した照明光の前記対物レンズへの入射を遮断する請求項１に記載の顕微鏡装置。
【請求項４】
前記カバー部材に、前記標本と前記透過用検出光学系との間に配置され、前記カバー部材の一部を開閉する開閉部が設けられ、
前記入射切替手段により前記照明光の入射が前記走査照明光学系に切り替えられたときに、前記開閉部を開状態に切り替える開閉部切替手段を備える請求項１、請求項２または請求項３のいずれかに記載の顕微鏡装置。
【請求項５】
前記シャッタが前記全反射照明光学系内に設けられている請求項１に記載の顕微鏡装置。
【発明の詳細な説明】
【技術分野】
【０００１】
本発明は、顕微鏡装置に関するものである。
【背景技術】
【０００２】
従来、光源から射出された励起光をカバーガラスと標本との境界面で全反射させたときに、標本側に数１００ｎｍ程度のわずかな範囲に染み出すエバネッセント光を用いて蛍光物質を励起して発せられる蛍光を観察する全反射顕微鏡が知られている（例えば、特許文献１参照。）。全反射顕微鏡は、略平行光となった励起光が標本に対して軸外から入射されるものである。特許文献１においては、標本やレボルバの誤操作等によりカバーガラスと標本との境界面において励起光が全反射しなくなった場合に、その直接の屈折光や散乱光が予期せぬ方向に出射されてしまうことを防止するために、標本全体をカバーで覆うこととしている。カバーによって全反射照明される励起光の外部への出射を防止しつつ、カバーに設けられたバンドパスフィルタを介して蛍光の観察を行うことができる。
【先行技術文献】
【特許文献】
【０００３】
【特許文献１】特開２００６−１１０４５号公報
【発明の概要】
【発明が解決しようとする課題】
【０００４】
しかしながら、カバーを標本に被せた状態では、励起光の標本における透過光を観察することができないという不都合がある。
すなわち、対物レンズへの入射光束を切り替えることで、簡易に透過光観察と全反射照明観察とを切り替えることができるが、透過光観察に切り替えた場合にはカバーを標本から取り外す必要があり、全反射照明観察に切り替えた場合にはカバーを標本に被せておく必要がある。
【０００５】
このため、観察者は、全反射照明観察から透過光観察に切り替える場合には、全反射照明用の励起光を遮断したことを確認してからカバーを取り外さなければならず、不用意にカバーを取り外すと励起光が予期せぬ方向に出射されてしまう不都合がある。また、透過光観察から全反射照明観察に切り替える場合においても、カバーを被せるまでは全反射照明用の励起光が遮断していることを確認しなければならない。したがって、観察者が煩わしい確認作業を行わなければならず、扱い易さや機能性が損なわれてしまうという不都合がある。
【０００６】
本発明は上述した事情に鑑みてなされたものであって、観察者が煩わしい確認作業を行うことなく、全反射照明観察と透過光観察とを容易に切り替えることができる顕微鏡装置を提供することを目的としている。
【課題を解決するための手段】
【０００７】
上記目的を達成するために、本発明は以下の手段を提供する。
本発明は、標本に対向して配置される対物レンズと、該対物レンズの入射瞳位置に、略平行光からなる照明光を入射させ、かつ、該照明光を前記対物レンズによって前記標本上に集光して走査させる走査照明光学系と、前記対物レンズの入射瞳位置の軸外において照明光を集光させ、前記標本にエバネッセント光を入射させる全反射照明光学系と、該全反射照明光学系または前記走査照明光学系を介した前記照明光の前記対物レンズへの入射を切り替える入射切替手段と、前記走査照明光学系により走査され標本を透過した照明光を検出する透過用検出光学系と、前記標本を挟んで前記対物レンズとは反対側に配置された開閉可能なカバー部材と、該カバー部材の開閉を検出する開閉センサと、該開閉センサにより前記カバー部材の開状態が検出されたときに、前記全反射照明光学系を介した照明光の前記対物レンズへの入射を遮断するシャッタとを備える顕微鏡装置を提供する。
【０００８】
本発明によれば、入射切替手段によって照明光を入射させる光学系を全反射照明光学系に切り替えると、開閉センサによってカバー部材の開閉が検出され、カバーが開状態であると検出された場合に、シャッタによって全反射照明光学系を介した対物レンズへの照明光の入射が遮断される。そして、カバー部材の閉状態が検出された場合には、全反射照明光学系を介した対物レンズへの照明光の入射が許可され、対物レンズの入射瞳位置の軸外において照明光が集光されることにより、標本において全反射が発生しエバネッセント光が入射される。これにより、全反射照明観察を行うことができる。
【０００９】
一方、入射切替手段によって照明光を入射させる光学系を走査照明光学系に切り替えると、走査照明光学系を介して対物レンズに入射された照明光が標本上に集光されて走査され、標本を透過した照明光が透過用検出光学系によって検出されることにより標本の透過観察を行うことができる。
この場合に、本発明によれば、カバー部材の開放によって、シャッタにより自動的に全反射照明光学系を介した対物レンズへの照明光の入射が遮断されるので、全反射しなかった照明光が予期せぬ方向に出射する不都合の発生を未然に防止することができる。これにより、観察者は、煩わしい確認作業を行うことなく、全反射照明観察と透過光観察とを容易に切り替えることができる。
【００１０】
また、本発明は、標本に対向して配置される対物レンズと、該対物レンズの入射瞳位置に、略平行光からなる照明光を入射させ、かつ、該照明光を前記対物レンズによって前記標本上に集光して走査させる走査照明光学系と、前記対物レンズの入射瞳位置の軸外において前記照明光を集光させ、前記標本にエバネッセント光を入射させる全反射照明光学系と、該全反射照明光学系または前記走査照明光学系を介した前記照明光の前記対物レンズへの入射を切り替える入射切替手段と、前記走査照明光学系により走査され標本を透過した照明光を検出する透過用検出光学系と、前記標本を挟んで前記対物レンズとは反対側に配置された開閉可能なカバー部材と、該カバー部材の開閉を検出する開閉センサとを備え、該開閉センサにより前記カバー部材の開状態が検出されたときに、前記入射切替手段による対物レンズへの照明光の入射を前記走査照明光学系を介した入射に切り替える顕微鏡装置を提供する。
【００１１】
本発明によれば、カバー部材の開放によって、入射切替手段により光路が自動的に走査照明光学系側に切り替えられるので、全反射照明光学系を介した対物レンズへの照明光の入射が遮断される。そして、全反射しなかった照明光が予期せぬ方向に出射する不都合の発生を未然に防止することができる。これにより、観察者は、煩わしい確認作業を行うことなく、全反射照明観察と透過光観察とを容易に切り替えることができる。
【００１２】
上記発明においては、前記シャッタが前記全反射照明光学系内に設けられていてもよい。
このようにすることで、同一光源からの照明光を走査照明光学系および全反射照明光学系に入射させる場合においても、全反射照明用の照明光が予期せぬ方向に出射する不都合の発生を未然に防止することができる。
【００１３】
また、上記発明においては、前記入射切替手段の状態を検出する入射状態センサを備え、前記シャッタが、前記入射状態センサにより全反射照明光学系への照明光の入射に切り替えられていることが検出されているときに、前記開閉センサにより前記カバー部材の開状態が検出された場合に、前記全反射照明光学系を介した照明光の前記対物レンズへの入射を遮断してもよい。
【００１４】
入射状態センサにより、入射切替手段の状態が全反射照明光学系への照明光の入射を行う状態であることが検出されている場合には、対物レンズから略平行光からなる照明光が出射されている可能性があり、不用意にカバー部材が開かれると、照明光が予期せぬ方向に射出されることがある。したがって、この場合に開閉センサによるカバー部材の開状態検出に応じてシャッタにより全反射照明光学系を介した照明光の対物レンズへの入射を遮断することにより、予期せぬ方向への射出を防止することができ、他の観察方法の際にカバーの開閉による照明光の遮断が行われないようにすることができる。
【００１５】
また、上記発明においては、前記カバー部材に、前記標本と前記透過用検出光学系との間に配置され、前記カバー部材の一部を開閉する開閉部が設けられ、前記入射切替手段により前記照明光の入射が前記走査照明光学系に切り替えられたときに、前記開閉部を開状態に切り替える開閉部切替手段を備えていてもよい。
【００１６】
このようにすることで、入射切替手段によって照明光の入射が走査照明光学系に切り替えられると、開閉部切替手段によって開閉部が開状態に切り替えられ、走査照明光学系を介して対物レンズの瞳に略平行光として入射された照明光が標本上に集光される。そして、標本を透過した照明光の透過光が、開放された開閉部を通過して、透過用検出光学系に入射され、透過照明観察を行うことができる。
この場合に、観察者はカバー部材の開閉作業を行うことなく、観察方法を切り替えることができ、さらに取り扱い性を向上することができる。
【発明の効果】
【００１７】
本発明によれば、光学系に発生する歪みを抑制するとともに、観察者が煩わしい確認作業を行うことなく、全反射照明観察と透過光観察とを容易に切り替えることができるという効果を奏する。
【図面の簡単な説明】
【００１８】
【図１】本発明の一実施形態に係る顕微鏡装置を模式的に説明する全体構成図である
【図２】図１の顕微鏡装置のシャッタ駆動回路であって、（ａ）カバーが装着された状態、（ｂ）カバーが取り外された状態をそれぞれ示す回路図である。
【図３】図２のシャッタ駆動回路の変形例であって、（ａ）カバーが装着された状態、（ｂ）カバーが取り外された状態をそれぞれ示す回路図である。
【図４】図１の顕微鏡装置の変形例を模式的に説明する全体構成図である。
【図５】図４の顕微鏡装置のシャッタ駆動回路であって（ａ）全反射照明が選択され、かつカバーが取り外された状態、（ｂ）全反射照明が選択され、かつカバーが装着された状態、（ｃ）透過照明が選択され、かつカバーが取り外された状態、（ｄ）透過照明が選択され、かつカバーが装着された状態をそれぞれ示す回路図である。
【図６】図１の顕微鏡装置の他の変形例を模式的に説明する全体構成図である。
【図７】図６の顕微鏡装置のシャッタ駆動回路であって（ａ）全反射照明が選択され、かつカバーが取り外された状態、（ｂ）透過照明が選択され、かつカバーが取り外された状態をそれぞれ示す回路図である。
【図８】図６の顕微鏡装置の全反射照明が選択されかつカバーが装着された状態の（ａ）シャッタ駆動回路の回路図および（ｂ）カバーの開閉扉の状態をそれぞれ示す図である。
【図９】図６の顕微鏡装置の透過照明が選択されかつカバーが装着された状態の（ａ）シャッタ駆動回路の回路図および（ｂ）カバーの開閉扉の状態をそれぞれ示す図である。
【図１０】図１の顕微鏡装置の他の変形例を模式的に説明する全体構成図である。
【発明を実施するための形態】
【００１９】
本発明の一実施形態に係る顕微鏡装置１について、図面を参照して以下に説明する。
本実施形態に係る顕微鏡装置１は、図１に示されるように、レーザ光源２と、該レーザ光源２から発せられたレーザ光を導光する２本の光ファイバ３，４と、該光ファイバ３，４の端部から出射されたレーザ光をそれぞれ導光する全反射照明光学系５および走査照明光学系６と、これらの光学系５，６の後段において光軸上に挿脱されることによりいずれかの光学系を介したレーザ光の通過を許容するミラー（入射切替手段）７と、ミラー７の後段の光路を遮断または開放するシャッタ８と、シャッタ８が開かれたときに入射されるレーザ光によって観察を行う顕微鏡本体９と、これらを制御するとともに顕微鏡本体９により取得された画像情報から画像を生成する制御部１０と、生成された画像を表示するモニタ１１と、観察方法を入力する入力部１２とを備えている。図中、符号１３はカップリングレンズである。
【００２０】
全反射照明光学系５は、光ファイバ３の端部から出射されたレーザ光を略平行光にするコリメートレンズ１４と、略平行光とされたレーザ光を光軸に交差する方向に移動させるスキャナ１５と、２組のリレーレンズ１６，１７，１８，１９と、光路長調節用の可動プリズム２０と、視野絞り２１と、光路を遮断または開放するシャッタ２２とを備えている。図中符号２３，２４はミラーである。視野絞り２１は標本Ａと光学的に共役な位置に配置され、図示しない駆動源によって光軸に交差する矢印ｂの方向に移動させられるとともに、開口径の大きさを変更することができるようになっている。
可動プリズム２０は、図中の矢印ａで示す方向に移動させられて、全反射照明光学系５内の光路長を調節するようになっている。
【００２１】
全反射照明光学系５を通過したレーザ光は、後述する顕微鏡本体９の対物レンズ３５の入射瞳位置における軸外位置に集光されるように光路長が調節される。これにより、全反射照明光学系５を通過したレーザ光は、対物レンズ３５から略平行光の状態で標本Ａに対して出射されるようになっている。対物レンズ３５の瞳位置における軸外位置に集光されることで、対物レンズから出射されるレーザ光は標本Ａに対して所定の角度をなしており、標本Ａとカバーガラスとの境界位置に照射され、その位置において全反射させられるようになっている。
【００２２】
また、視野絞り２１の位置を調節することによって標本Ａへの入射位置が調節され、視野絞り２１の開口径を調節することによって、標本Ａへの入射範囲が調節されるようになっている。さらに、スキャナ１５によってレーザ光の偏向角度を調節することにより、標本Ａへのレーザ光の入射角度を調節して、全反射照明範囲を深さ方向に変更することができるようになっている。
【００２３】
走査照明光学系６は、光ファイバ４の端部から出射されたレーザ光を略平行光にするコリメートレンズ２５と、略平行光とされたレーザ光を２次元的に走査させるスキャナ２６と、１組のリレーレンズ２７，２８と、リレーレンズ２７，２８およびスキャナ２６を介して戻る蛍光をレーザ光の光路から分岐するダイクロイックミラー２９と、集光レンズ３０と、標本Ａと光学的に共役な位置に配置された共焦点ピンホール３１と、２つの光検出器３２，３３とを備えている。図中符号３４は、共焦点ピンホール３１を透過した蛍光を波長毎に分岐するダイクロイックミラーである。
【００２４】
走査照明光学系６を通過したレーザ光は、顕微鏡本体９の対物レンズ３５の入射瞳位置に略平行光として入射されるように設定されている。これにより、走査照明光学系６を透過したレーザ光は対物レンズ３５の焦点位置に配置されている標本Ａにおいて集光させられるようになっている。
【００２５】
顕微鏡本体９は、全反射照明光学系５または走査照明光学系６を通過したレーザ光を集光する対物レンズ３５と、対物レンズ３５の上方に対向して標本を支持するステージ３６と、標本Ａの上方に配置された透過用光検出器３７と、接眼光学系３８とを備えている。接眼光学系３８と対物レンズ３５との間には、ミラー３９とダイクロイックミラー４０とが択一的に挿脱可能に設けられている。符号４１，４２はミラーである。ステージ３６上には、標本Ａを覆う位置にカバー（カバー部材）４３が手動にて着脱可能に配置されている。透過用光検出器３７は、例えば、光電子増倍管である。
【００２６】
ミラー３９を挿入すると、ミラー３９によって反射されたレーザ光が対物レンズ３５に入射されるようになっている。一方、ダイクロイックミラー４０が挿入されると、ダイクロイックミラー４０によって反射されたレーザ光が対物レンズ３５によって標本Ａに集光され、標本Ａにおいて発生し対物レンズ３５によって集光された蛍光がダイクロイックミラー４０を透過して接眼光学系３８に導かれるようになっている。
【００２７】
カバー４３には、該カバー４３の装着または取り外しを検出する２つのスイッチ（センサ）４４，４５が設けられている。スイッチ４４，４５は、機械的に排他的に動作するように構成されている。スイッチ４４，４５は、図２に示されるように並列回路にそれぞれ配置されている。スイッチ４４には全反射照明光学系５内に配置されているシャッタ２２が直列に接続され、２つのスイッチ４４，４５の並列回路には、両光学系５，６と顕微鏡本体９との間に配置されたシャッタ８が直列に接続されている。
各シャッタ８，２２は、通電された状態で光路を開放し、通電が停止した状態で光路を遮断するように構成されている。図中符号４６は電源スイッチである。
【００２８】
このように構成された本実施形態に係る顕微鏡装置１の作用について以下に説明する。
標本Ａの準備状態においては電源スイッチ４６がＯＦＦにされており、シャッタ８，２２への通電が停止していてシャッタ８，２２が閉じられているので、レーザ光の顕微鏡本体９への入射が停止している。
【００２９】
この状態から、本実施形態に係る顕微鏡装置１を用いて標本Ａの全反射照明観察を行うには、観察者は、ステージ３６上に搭載された標本Ａ上に、該標本Ａを覆うようにカバー４３を配置して、電源スイッチ４６をＯＮにする。スイッチ４４，４５は排他的に作動するので、いずれのスイッチ４４，４５が閉じられていてもシャッタ８に対する通電が行われ、シャッタ８が開かれる。カバー４３を配置することで、ステージ３６下方から入射されるレーザ光がカバー４３よりも上方に透過することを阻止することができる。
【００３０】
カバー４３が配置されると、２つのスイッチ４４，４５が作動し、図２（ａ）に示されるように、スイッチ４５が開かれる一方、スイッチ４４が閉じられて、シャッタ２２に通電され、シャッタ２２が開かれる。これにより、全反射照明光学系５を介したレーザ光の入射が可能となる。入力部１２から観察方法として全反射照明観察が入力された場合には、ミラー７が光路上に挿入されて全反射照明光学系５から顕微鏡本体９に続く光路が形成される。また、顕微鏡本体９内においては、ダイクロイックミラー４０が光路上に挿入され接眼光学系３８による観察が選択される。
【００３１】
全反射照明光学系５を介して顕微鏡本体９に導かれたレーザ光は、ダイクロイックミラー４０によって反射された後、対物レンズ３５の入射瞳位置において集光し、対物レンズ３５の先端から標本Ａに向けて、光軸に対して所定の角度をなした平行光として射出される。そして、標本Ａとカバーガラスとの境界面において全反射させられることにより、標本Ａ内にエバネッセント光が入射され、標本Ａ内において発生した蛍光が対物レンズ３５により集光され、ダイクロイックミラー４０を透過して接眼光学系３８により目視観察することができる。
【００３２】
また、入力部１２から、観察方法として落射照明観察が入力された場合には、光路上のミラー７が取り外され、走査照明光学系６を介したレーザ光が顕微鏡本体９に入力されるようになる。この場合には、顕微鏡本体９内においては、ダイクロイックミラー４０に代えてミラー３９が光路上に配置される。
【００３３】
走査照明光学系６を介して顕微鏡本体９に導かれたレーザ光は、ミラー３９によって反射された後、対物レンズ３５の入射瞳位置に略平行光として入射し、対物レンズ３５の焦点位置において集光する。レーザ光の集光位置において発生した蛍光は、対物レンズ３５によって集光され、ミラー３９および走査照明光学系６を介して戻る途中で、走査照明光学系６内に設けられたダイクロイックミラー２９によってレーザ光の光路から分岐され、集光レンズ３０により集光され、共焦点ピンホール３１を通過したもののみが光検出器３２，３３によって検出される。レーザ光の標本Ａ上における集光位置は、スキャナ２６によって２次元的に走査されるので、各位置において発生した蛍光の強度とスキャナ２６による走査位置とを対応づけて記憶しておくことにより２次元的な蛍光画像を生成することができる。
【００３４】
次に、全反射照明観察が選択されている状態で、何らかの理由によってカバー４３が取り外された場合には、図２（ｂ）に示されるようにスイッチ４４が開かれてスイッチ４５が閉じられる。これにより、シャッタ２２への通電が失われるので、シャッタ２２が閉じられる。シャッタ２２は全反射照明光学系５内に配置されているので、全反射照明光学系５を介したレーザ光が顕微鏡本体９に入射されることが防止され、カバー４３を外しても、対物レンズ３５から予期せぬ方向に略平行光の状態のレーザ光が射出されてしまうことを防止することができる。
また、落射照明観察が選択されている状態で、何らかの理由によってカバー４３が取り外された場合には、特に変化を生ずることなく、継続して落射照明観察を行うことができる。
【００３５】
次に、本実施形態に係る顕微鏡装置１を用いて、透過照明観察を行う場合、カバー４３を取り外して、入力部１２から観察方法として透過照明観察を入力する。
この場合、図２（ｂ）の状態となって、シャッタ２２が閉じられるので、落射照明観察の場合と同様にレーザ光が標本Ａに入射されるが、透過観察画像は、標本Ａを挟んで対物レンズ３５とは反対側に配置されている透過用光検出器３７によって検出されたレーザ光の強度と、スキャナ２６による走査位置とを対応づけて記憶することにより、２次元的な透過光画像を生成することができる。
【００３６】
このように、本実施形態に係る顕微鏡装置１によれば、ステージ３６上からカバー４３を取り外す際に、観察者が、全反射照明観察が選択されていないことを確認する必要がなく、煩わしい確認作業を行うことなく、自由にカバー４３を取り外すことができる。また、カバー４３が配置されていない状態では、入力部１２から観察方法として全反射照明観察が入力されたとしても、全反射照明光学系５を介したレーザ光の顕微鏡本体９への入射が阻止される。したがって、仮に観察者の不注意によりカバー４３の配置忘れがあったとしても、略平行光の状態のレーザ光が予期せぬ方向に照射されてしまうことを確実に防止することができるという利点を有する。
【００３７】
なお、本実施形態においては、全反射照明光学系５および走査照明光学系６から顕微鏡本体９への光路上に、該光路を開閉するシャッタ８を設けることとしたが、これに代えて、図３に示されるように、シャッタ８を設けなくても良い。図３（ａ）はシャッタ２２を開いた状態、図３（ｂ）はシャッタ２２を閉じた状態をそれぞれ示している。
このようにすることで、全反射照明観察時の標本Ａの交換や透過照明観察から全反射照明観察への切替時におけるレーザ光の予期せぬ方向への射出を、より単純な構成によって防止することができる。
【００３８】
また、図４に示されるように、ミラー７の光路への挿脱を検出する挿脱センサ４７を設けることとし、該挿脱センサ４７により、ミラー７が光路に挿入されている状態であることが検出された場合には、カバー４３の取り付け取り外しを検出するスイッチ４４，４５の開閉状態に応じてシャッタ８を遮断するようにしてもよい。このようにすることで、図５に示されるように、全反射照明観察時に何らかの原因でカバー４３が取り外された場合にのみ、顕微鏡本体９へのレーザ光の入射を遮断することができる。
【００３９】
すなわち、図５（ａ）は、全反射照明観察が選択されて挿脱センサ４７がＯＦＦ状態になっているにも拘わらず、カバー４３が配置されておらずにスイッチ４４も開放されている状態を示している。この状態では、シャッタ８への通電は行われず、シャッタ８は閉状態に維持されて、レーザ光の顕微鏡本体９への入射は遮断されている。
【００４０】
また、図５（ｂ）は、全反射照明観察が選択されていて、かつ、カバー４３が配置されている状態を示している。この状態では、スイッチ４４が閉じられることにより、シャッタ８が開放され、全反射照明光学系５を介して導かれてきたレーザ光が顕微鏡本体９に入射されて、全反射照明観察が行われる。
【００４１】
次に、図５（ｃ）は、透過照明観察が選択されて挿脱センサ４７がＯＮ状態になっており、かつ、カバー４３が取り外されている状態を示している。この状態では、ＯＮ状態の挿脱センサ４７を介してシャッタ８に通電が行われ、走査照明光学系６を介して導かれてきたレーザ光が顕微鏡本体９に入射されて透過照明観察が行われる。
【００４２】
一方、図５（ｄ）は、透過照明観察が選択されているにも関わらず、カバー４３が配置されている状態を示している。この状態では、ＯＮ状態の挿脱センサ４７および閉じられたスイッチ４４を介してシャッタ８に通電されるので、シャッタ８が開状態に維持されて、走査照明光学系６を介したレーザ光の顕微鏡本体９への入射が行われ、落者照明観察を行うことができる。
【００４３】
また、ここまでの説明においては、観察者がカバー４３を取り外したり設置したりする場合を例示して説明してきたが、これに限定されるものではなく、図６に示されるように、カバー４３に、図示しない駆動手段によって開閉される開閉扉４３ａを設けたものを採用しても良い。開閉扉４３ａは、挿脱センサ４７がＯＦＦ状態にされた場合には閉じられて、挿脱センサ４７がＯＮ状態にされた場合には開かれるように設定されている。
このようにすることで、カバー４３の取り外しは、ステージ３６への標本Ａの設置時等に限定され、観察方法の別によっては、観察者がカバー４３の取り外しを行わずに済み、取り扱い性を向上することができる。
【００４４】
この場合には、図７（ａ）、（ｂ）に示されるように、カバー４３が取り外されている状態と、図８および図９に示されるように、カバー４３が配置されている場合とで動作が相違する。
開閉扉４３ａには負荷抵抗Ｒが並列に接続されていて、挿脱センサ４７がＯＮ状態になると、カバー４３が配置されていなくても、負荷抵抗Ｒを介してシャッタ８に通電されるようになっている。
【００４５】
すなわち、図７（ａ）は、全反射照明観察が選択されて挿脱センサ４７がＯＦＦ状態になっているにも拘わらず、カバー４３が配置されておらずにスイッチ４４も開放されている状態を示している。この状態では、シャッタ８への通電は行われず、シャッタ８は閉状態に維持されて、レーザ光の顕微鏡本体９への入射は遮断されている。
【００４６】
また、図７（ｂ）は、透過照明観察が選択されて挿脱センサ４７がＯＮ状態になっており、かつ、カバー４３が取り外されている状態を示している。この状態では、ＯＮ状態の挿脱センサ４７および負荷抵抗Ｒを介してシャッタ８に通電が行われ、走査照明光学系６を介して導かれてきたレーザ光が顕微鏡本体９に入射されて透過照明観察を行うことができる。
【００４７】
また、図８（ａ）は、全反射照明観察が選択されて挿脱センサ４７がＯＦＦ状態になっているとともに、カバー４３が装着されており、挿脱センサ４７のＯＦＦ状態に対応して、図８（ｂ）に示されるように、カバー４３の開閉扉４３ａが閉じられている状態を示している。スイッチ４４が閉じられることにより、シャッタ８が開放され、全反射照明光学系５を介して導かれてきたレーザ光が顕微鏡本体９に入射されて、全反射照明観察を行うことができる。
【００４８】
さらに、図９（ａ）は、透過照明観察が選択されて挿脱センサ４７がＯＮ状態になっているとともに、カバー４３が装着されており、挿脱センサ４７のＯＮ状態に対応して、図９（ｂ）に示されるように、カバー４３の開閉扉４３ａが開かれている状態を示している。スイッチ４４が閉じられることにより、シャッタ８が開放され、走査照明光学系６を介したレーザ光の顕微鏡本体９への入射が行われ、開閉扉４３ａを介して透過用光検出器３７により透過照明観察を行うことができる。
また、挿脱センサ４７と開閉扉４３ａとを直接連動させることなく、制御部１０が挿脱センサ４７からの信号に基づいて開閉扉４３ａの開閉を行ってもよい。
【００４９】
また、図１０に示されるように、ミラー２３，２４を光路に挿脱可能に配置することにより、全反射照明光学系５内の光路の切替を行うこととしてもよい。図中、符号４８，４９はミラ−２３，２４の挿脱を検出するセンサであり、符号５０，５１はシャッタである。
【００５０】
ミラー２３，２４を挿入した場合には全反射照明用の光路、ミラー２３，２４を取り外した場合にはもう１つのレーザ走査照明用の光路を生成することができる。この場合に、ミラー２３，２４の挿脱を検出するセンサ４８，４９の出力信号とカバー４３の着脱を検出するスイッチ４４の状態とに応じて、シャッタ２２，５０により各光路を開閉することにすればよい。
【００５１】
また、全反射照明観察が選択されて、ミラー７が光路上に挿入された場合には、走査照明光学系６内に配置されているシャッタ５１によって光路を遮断することにより、走査照明光学系６を介したレーザ光の入射が確実に防止される。
【００５２】
また、上記実施形態においては、シャッタ８，２２，５０，５１としては光路に挿脱される機械式のものに限定されるものではなく、音響光学素子を採用してもよいし、レーザ光源２自体における調光や干渉計等による光学的な消光手段を採用してもよい。
また、上記実施形態において、シャッタ８，２２，５０，５１とセンサ４４，４５，４７，４８，４９とを連動させることとしたが、これに代えて、センサ４４，４５，４７，４８，４９からの信号に基づいて制御部１０がシャッタ８，２２，５０，５１を開閉してもよい。
【００５３】
さらに、シャッタ２２，５０によって全反射光を遮断することとしたが、これに代えて、対物レンズ３５に全反射光が入射しないように、ミラー７によって光路を走査照明光学系６側に切り替えることにしてもよい。
また、入射切替手段として、光路上に挿脱され全反射照明光学系５および走査照明光学系６の光路を切り替えるミラー７を例示したが、ミラー７の位置に光路上に固定配置され、全反射照明光学系５および走査証明光学系６からのレーザ光を同一光路に入射させるダイクロイックミラーを採用し、シャッタ２２，５０，５１によって入射切替手段を構成することにしてもよい。
【符号の説明】
【００５４】
Ａ  標本
１  顕微鏡装置
５  全反射照明光学系
６  走査照明光学系
７  ミラー（入射切替手段）
８  シャッタ
２２，５０，５１  シャッタ（シャッタ、入射切替手段）
３５  対物レンズ
３７  透過用光検出器（透過用検出光学系）
４３  カバー（カバー部材）
４３ａ  開閉扉（開閉部）
４４，４５  スイッチ（開閉センサ）
４７  挿脱センサ（入射状態センサ：開閉部切替手段）
【図１】
0005437052.tif 000002
【図２】
0005437052.tif 000003
【図３】
0005437052.tif 000004
【図４】
0005437052.tif 000005
【図５】
0005437052.tif 000006
【図６】
0005437052.tif 000007
【図７】
0005437052.tif 000008
【図８】
0005437052.tif 000009
【図９】
0005437052.tif 000010
【図１０】
0005437052.tif 000011